(57)【要約】【課題】安定して積み重ねる。【解決手段】底部１４は、接地部２４と、当該ボトル１Ａとは異なる他のボトル１Ｂのキャップ３９および肩部１２が内部に進入可能な陥没部２５と、を備え、陥没部２５は、他のボトル１Ｂのキャップ３９が内部に収容される上側陥没部２５Ｂと、他のボトル１Ｂの肩部１２の一部が内部に配置される下側陥没部２５Ａと、を備え、接地部２４および下側陥没部２５Ａのうちの少なくとも一方は、他のボトル１Ｂの肩部１２に肩部１２の上方から当接し、上側陥没部２５Ｂは、下側陥没部２５Ａから上方に向けて延び、上方に向かうに従い漸次縮径するテーパ壁部２９と、テーパ壁部２９からボトル軸Ｏ方向に沿って上方に向けて延びるストレート壁部３０と、ストレート壁部３０の上端開口部を閉塞する天壁部３１と、天壁部３１に設けられた天壁凹部３２と、を備え、ストレート壁部３０は、他のボトル１Ｂのキャップ３９とボトル径方向に対向する。【選択図】図７
2017137106.tif 000002
【特許請求の範囲】
【請求項１】
口部、肩部、胴部および底部がボトル軸方向に沿って順に連設されたボトルであって、
前記口部にはキャップが装着され、
前記底部は、外周縁部に位置する接地部と、ボトル軸上に位置するとともに上方へ向けて窪み、当該ボトルとは異なる他のボトルの前記キャップおよび前記肩部が内部に進入可能な陥没部と、を備え、
前記陥没部は、前記他のボトルの前記キャップが内部に収容される上側陥没部と、前記他のボトルの前記肩部の一部が内部に配置される下側陥没部と、を備え、
前記接地部および前記下側陥没部のうちの少なくとも一方は、前記他のボトルの前記肩部に前記肩部の上方から当接し、
前記上側陥没部は、
前記下側陥没部から上方に向けて延び、上方に向かうに従い漸次縮径するテーパ壁部と、
前記テーパ壁部からボトル軸方向に沿って上方に向けて延びるストレート壁部と、
前記ストレート壁部の上端開口部を閉塞する天壁部と、
前記天壁部に設けられ、上方へ向けて窪む天壁凹部と、を備え、
前記ストレート壁部は、前記他のボトルの前記キャップとボトル径方向に対向することを特徴とするボトル。
【請求項２】
前記下側陥没部は、
前記接地部から上方に向けて延びる立ち上がり壁部と、
前記立ち上がり壁部からボトル径方向の内側に向けて延び、前記テーパ壁部に連結される連結壁部と、を備え、
前記テーパ壁部のボトル軸に対する傾斜角度は、前記立ち上がり壁部のボトル軸に対する傾斜角度よりも大きいことを特徴とする請求項１に記載のボトル。
【発明の詳細な説明】
【技術分野】
【０００１】
本発明は、積み重ね可能なボトルに関する。
【背景技術】
【０００２】
この種のボトルとして、例えば下記特許文献１に記載の構成が知られている。
【先行技術文献】
【特許文献】
【０００３】
【特許文献１】実開昭５３−１４８７５８号公報
【発明の概要】
【発明が解決しようとする課題】
【０００４】
しかしながら、前記従来のボトルでは、積み重ねられた上下一対のボトルに対してボトル径方向（横方向）に相対的に変位するような外力（横力）が加えられたときに崩れ易く、安定して積み重ねることに改善の余地がある。
【０００５】
本発明は、前述した事情に鑑みてなされたものであって、安定して積み重ねることを目的とする。
【課題を解決するための手段】
【０００６】
前記課題を解決するために、本発明は以下の手段を提案している。
本発明に係るボトルは、口部、肩部、胴部および底部がボトル軸方向に沿って順に連設されたボトルであって、前記口部にはキャップが装着され、前記底部は、外周縁部に位置する接地部と、ボトル軸上に位置するとともに上方へ向けて窪み、当該ボトルとは異なる他のボトルの前記キャップおよび前記肩部が内部に進入可能な陥没部と、を備え、前記陥没部は、前記他のボトルの前記キャップが内部に収容される上側陥没部と、前記他のボトルの前記肩部の一部が内部に配置される下側陥没部と、を備え、前記接地部および前記下側陥没部のうちの少なくとも一方は、前記他のボトルの前記肩部に前記肩部の上方から当接し、前記上側陥没部は、前記下側陥没部から上方に向けて延び、上方に向かうに従い漸次縮径するテーパ壁部と、前記テーパ壁部からボトル軸方向に沿って上方に向けて延びるストレート壁部と、前記ストレート壁部の上端開口部を閉塞する天壁部と、前記天壁部に設けられ、上方へ向けて窪む天壁凹部と、を備え、前記ストレート壁部は、前記他のボトルの前記キャップとボトル径方向に対向することを特徴とする。
【０００７】
この場合、ストレート壁部が、他のボトルのキャップとボトル径方向に対向する。したがって、積み重ねられた上下一対のボトルに対してボトル径方向（横方向）に相対的に変位するような外力（横力）が加えられたときに、ストレート壁部とキャップとがボトル径方向に突き当たる。ストレート壁部およびキャップの外周面が、いずれもボトル軸方向に沿って延びている場合、ストレート壁部とキャップとがボトル径方向に突き当たることで、一対のボトルのボトル径方向への相対的な移動を効果的に規制することができる。したがって、積み重ねられたボトルが崩れるのを抑制することが可能になり、ボトルを安定して積み重ねることができる。
【０００８】
また、接地部および下側陥没部のうちの少なくとも一方が、他のボトルの肩部に肩部の上方から当接するので、当該ボトルの姿勢を他のボトル上で安定させ易くすることができる。
さらに、天壁部に天壁凹部が設けられている。したがって、例えば、このボトルをプリフォームから成形することで天壁部にゲート痕が形成される場合などであっても、ゲート痕を天壁凹部内に配置することができる。また、例えば内容物が充填されたボトルについて、前記天壁部が下方に膨出することを抑制することができる。これにより、ゲート痕などが、上側陥没部に収容される他のボトルのキャップに干渉するのを抑えることが可能になり、当該ボトルの姿勢を他のボトル上でより安定させ易くすることができる。
しかも、上側陥没部がテーパ壁部を備えている。したがって、このボトルの成形に際してボトルから金型を離型させるときに、テーパ壁部を抜きテーパとして利用して陥没部を精度良く成形することができる。このように高精度に形成された陥没部を利用してボトルを積み重ねるので、当該ボトルの姿勢を他のボトル上で一層安定させ易くすることができる。
以上のように、このボトルでは、当該ボトルの姿勢を他のボトル上で安定させ易くすることができる。したがって、ストレート壁部とキャップとをボトル径方向に精度良く突き当てることが可能になり、ボトルを確実に安定して積み重ねることができる。
【０００９】
前記下側陥没部は、前記接地部から上方に向けて延びる立ち上がり壁部と、前記立ち上がり壁部からボトル径方向の内側に向けて延び、前記テーパ壁部に連結される連結壁部と、を備え、前記テーパ壁部のボトル軸に対する傾斜角度は、前記立ち上がり壁部のボトル軸に対する傾斜角度よりも大きくてもよい。
【００１０】
この場合、テーパ壁部の前記傾斜角度が、立ち上がり壁部の前記傾斜角度よりも大きいので、当該ボトルの姿勢を他のボトル上でより確実に安定させ易くすることができる。
【発明の効果】
【００１１】
本発明によれば、安定して積み重ねることができる。
【図面の簡単な説明】
【００１２】
【図１】本発明の一実施形態に係るボトルのボトル軸方向に沿う縦断面図であって、口部を含む一部分を側面視した図である。
【図２】図１に示すボトルの上部を拡大した縦断面図であって、口部を含む一部分を側面視した図である。
【図３】図１に示すボトルの下部を拡大した縦断面図である。
【図４】図１に示すボトルの上面図である。
【図５】図１に示すボトルの下面図である。
【図６】図１に示すボトルを積み重ねた状態を示す縦断面図であって、口部を含む一部分を側面視した図である。
【図７】図６に示す積み重ねられたボトルの連結部分を示す縦断面図であって、口部を含む一部分を側面視した図である。
【発明を実施するための形態】
【００１３】
以下、図１から図７を参照し、本発明の一実施形態に係るボトルを説明する。
図１から図５に示すように、ボトル１は、口部１１、肩部１２、胴部１３および底部１４を備え、これらがそれぞれの中心軸線を共通軸上に位置した状態でこの順に連設された概略構成とされている。ボトル１は、射出成形により有底筒状に形成された合成樹脂材料からなるプリフォームが、ブロー成形されることで形成されている。
【００１４】
以下、上述した共通軸をボトル軸Ｏといい、ボトル軸Ｏ方向に沿って口部１１側を上側、底部１４側を下側という。また、ボトル１をボトル軸Ｏ方向から見た平面視において、ボトル軸Ｏに直交する方向をボトル径方向といい、ボトル軸Ｏ回りに周回する方向をボトル周方向という。なお図４および図５に示すように、ボトル１をボトル軸Ｏ方向の上方から見た上面視において、口部１１は円形状（真円形状）であり、肩部１２および胴部１３は多角形状（正多角形状）、図示の例では、角部が面取りされた正方形状とされている。また、ボトル１をボトル軸Ｏ方向の下方から見た下面視において、底部１４は多角形状（正多角形状）、図示の例では、角部が面取りされた正方形状とされている。
【００１５】
図１に示すように、胴部１３は、ボトル軸Ｏ方向に沿って延びる筒状に形成されている。胴部１３は、ボトル軸Ｏ方向の全長にわたって同径とされている。ボトル軸Ｏ方向に沿う縦断面視において、胴部１３の外周面は、ボトル軸Ｏと平行に延びている。
図３に示すように、底部１４は、有底筒状に形成されている。底部１４は、上端開口部が胴部１３の下端開口部に接続されたヒール部２１と、ヒール部２１の下端開口部を閉塞する接地可能な底壁部２２と、を備えている。
【００１６】
ヒール部２１の上端部２１ａは、胴部１３の下端部に接続されるとともに下方に向かうに従い漸次拡径している。ヒール部２１の下端部は、下方に向かうに従い漸次縮径し、底壁部２２の外周縁部に接続されている。ヒール部２１において上端部２１ａと下端部との間に位置する中間部は、胴部１３よりも大径とされ、このボトル１の最大外径部を構成している。この中間部には、ボトル周方向に全周にわたって連続して延びる環状凹溝２３が形成されている。
【００１７】
底壁部２２（底部１４）は、外周縁部に位置する接地部２４と、ボトル軸Ｏ上に位置するとともに上方へ向けて窪む陥没部２５と、を備えている。
接地部２４は、ボトル周方向の全周にわたって延びている。接地部２４は、ボトル軸Ｏに直交する水平面に沿って延びている。
【００１８】
陥没部２５は、底壁部２２において接地部２４（外周縁部）のボトル径方向の内側に位置している。陥没部２５は、ボトル軸Ｏと同軸に配置されている。陥没部２５は、下側陥没部２５Ａと、上側陥没部２５Ｂと、を備えている。下側陥没部２５Ａは、上側陥没部２５Ｂよりも大径であり、上側陥没部２５Ｂよりもボトル軸Ｏ方向に小さい（浅い）。下側陥没部２５Ａは、環状凹溝２３よりも下方に位置している。上側陥没部２５Ｂの上端縁は、ヒール部２１の上端部２１ａよりも上方に位置している。
【００１９】
図５に示すように、前記下面視において、下側陥没部２５Ａは、多角形状（正多角形状）となっていて、図示の例では、角部が面取りされた正方形状とされている。図３に示すように、下側陥没部２５Ａは、接地部２４の内周縁部から上方に向けて延びる立ち上がり壁部２７と、立ち上がり壁部２７の上端部からボトル径方向の内側に向けて延びる連結壁部２８と、を備えている。
【００２０】
立ち上がり壁部２７は、ボトル軸Ｏ方向に延びる筒状に形成されている。立ち上がり壁部２７は、下方から上方に向かうに従い漸次縮径している。図示の例では、前記縦断面視において、立ち上がり壁部２７は、ボトル軸Ｏに対して傾斜しているが、ボトル軸Ｏと平行に延びていてもよい。
連結壁部２８は、ボトル軸Ｏ方向に開口する環状に形成されている。連結壁部２８は、ボトル径方向の内側に向かうに従い漸次、上側に向けて延びている。図示の例では、前記縦断面視において、連結壁部２８は、水平面に対して傾斜しているが、水平面と平行に延びていてもよい。
なお下側陥没部２５Ａは、肩部１２の形状と一致させることが好ましい。立ち上がり壁部２７は、後述する段筒部３５の形状と一致させることが好ましい。連結壁部２８は、後述する上肩部３６の形状と一致させることが好ましい。
【００２１】
上側陥没部２５Ｂは、下側陥没部２５Ａから上方に向けて延び、上方に向かうに従い漸次縮径するテーパ壁部２９と、テーパ壁部２９の上端部からボトル軸Ｏ方向に沿って上方に向けて延びるストレート壁部３０と、ストレート壁部３０の上端開口部を閉塞する天壁部３１と、を備えている。図５に示すように、前記下面視において、テーパ壁部２９は、多角形状（正多角形状）となっていて、ストレート壁部３０および天壁部３１は、円形状（真円形状）である。
【００２２】
図３に示すように、テーパ壁部２９は、連結壁部２８の内周縁部から上方に延びている。テーパ壁部２９の上端縁は、環状凹溝２３よりも上方に位置している。テーパ壁部２９のボトル軸Ｏに対する傾斜角度は、立ち上がり壁部２７のボトル軸Ｏに対する傾斜角度よりも大きい。
前記縦断面視において、ストレート壁部３０の内周面は、ボトル軸Ｏと平行に延びている。ストレート壁部３０は、テーパ壁部２９よりもボトル軸Ｏ方向に小さい。
【００２３】
天壁部３１は、ヒール部２１の上端部２１ａよりも上側に位置している。天壁部３１は、平板状に形成され、水平面に沿って延びている。天壁部３１には、上方へ向けて窪む天壁凹部３２が設けられている。天壁凹部３２は、ボトル１内部に向けて突となる球面状に形成され、ボトル軸Ｏと同軸に配置されている。
ストレート壁部３０と天壁部３１との接続部分３０ａは、上方に向かうに従い漸次縮径している。接続部分３０ａは、前記縦断面視において、ボトル１内部に向けて突となる曲線状に形成されている。
【００２４】
図１に示すように、胴部１３の上端部には、胴部１３と肩部１２とを連結する連結筒部３３が設けられている。連結筒部３３は、胴部１３の上端部から上方に向けて延びている。連結筒部３３の下端部３３ａは、上方に向かうに従い漸次拡径している。連結筒部３３において下端部３３ａよりも上側に位置する部分は、上方に向かうに従い漸次縮径している。連結筒部３３の全体は、胴部１３から上方に向かうに従い漸次拡径した後、漸次縮径する。なお、ヒール部２１の上端部２１ａと連結筒部３３の下端部３３ａとの間（胴部１３）には、ラベルを装着することができる。
【００２５】
肩部１２は、胴部１３の上端部に連結筒部３３を介して連結されている。図２に示すように、肩部１２は、連結筒部３３からボトル径方向の内側に向けて延び、ボトル径方向の内側に向かうに従い漸次上方に向けて延びている。肩部１２は、連結筒部３３の上端部からボトル径方向の内側に延びる下肩部３４と、下肩部３４の内周縁部から上方に向けて延びる段筒部３５と、段筒部３５の上端部からボトル径方向の内側に延びる上肩部３６と、を備えている。
【００２６】
下肩部３４は、ボトル径方向の内側に向かうに従い漸次上側に向けて延びている。下肩部３４は、ボトル径方向の外側に位置する外周部３４Ａと、ボトル径方向の内側に位置する内周部３４Ｂと、を備えている。外周部３４Ａおよび内周部３４Ｂは、平板状に形成されている。前記縦断面視において、外周部３４Ａおよび内周部３４Ｂはいずれも、水平面に対して傾斜している。外周部３４Ａの水平面に対する傾斜角度は、内周部３４Ｂの水平面に対する傾斜角度よりも大きい。
【００２７】
段筒部３５は、上方に向かうに従い漸次縮径するテーパ状に形成されている。段筒部３５の外径は、下側陥没部２５Ａの内径と同等以下であり、上側陥没部２５Ｂの内径よりも大きい。
上肩部３６は、ボトル径方向の内側に向かうに従い漸次上側に向けて延びている。上肩部３６は、平板状に形成されている。前記縦断面視において、上肩部３６は、水平面に対して傾斜している。上肩部３６の水平面に対する傾斜角度は、外周部３４Ａの水平面に対する傾斜角度よりも小さく、内周部３４Ｂの水平面に対する傾斜角度よりも大きい。
【００２８】
口部１１は、肩部１２の内周縁部から上方に向けて延びている。口部１１の下端部には、ボトル周方向の全周にわたって延びるネックリング３８が設けられている。口部１１においてネックリング３８よりも上側に位置する部分には、雄ねじが形成されている。
【００２９】
口部１１には、その外周面がボトル軸Ｏ方向に沿って延びるキャップ３９が装着されている。キャップ３９の内周面には、前記雄ねじに対応する雌ねじが形成されている。キャップ３９は、口部１１に螺着されている。キャップ３９の外径は、ネックリング３８の外径と同等である。キャップ３９の外周面は、ボトル周方向の全周にわたって連続して延びる円周面とされている。前記縦断面視において、キャップ３９の外周面は、ボトル軸Ｏと平行に延びている。キャップ３９は、有頂筒状に形成されている。キャップ３９の頂壁部４０は、水平面に沿って延びている。キャップ３９の外径は、ストレート壁部３０の内径と同等以下となっている。
【００３０】
図６および図７に示すように、ボトル１は、ボトル軸Ｏ方向に積み重ね可能である。互いに積み重ねられた一対のボトル１Ａ、１Ｂのうち、上側のボトル１Ａ（当該ボトル）は、下側のボトル１Ｂ（当該ボトルとは異なる他のボトル）上に積み重ねられる。上側のボトル１Ａにおける陥没部２５の内部には、下側のボトル１Ｂのキャップ３９および肩部１２が進入する。
【００３１】
図７に示すように、上側陥没部２５Ｂの内部には、下側のボトル１Ｂのキャップ３９が収容される。ストレート壁部３０は、下側のボトル１Ｂのキャップ３９とボトル径方向に対向する。ストレート壁部３０の内部には、頂壁部４０を含むキャップ３９の上端部が位置する。キャップ３９のうち、ストレート壁部３０内に位置する部分のボトル軸Ｏ方向に沿う大きさは、キャップ３９全体のボトル軸Ｏ方向に沿う大きさの１／２以下である。
【００３２】
ストレート壁部３０の内周面は、キャップ３９の外周面に当接してもよく、離間してもよい。図示の例では、ストレート壁部３０の内周面とキャップ３９の外周面との間には、ボトル径方向の第１隙間Ｓ１が設けられる。第１隙間Ｓ１は、ボトル周方向の全周にわたって延びる。
【００３３】
キャップ３９の上面と天壁部３１の下面とは当接してもよく、離間してもよい。図示の例では、キャップ３９の上面と天壁部３１の下面との間には、ボトル軸Ｏ方向の第２隙間Ｓ２が設けられる。第２隙間Ｓ２は、キャップ３９の上面と天壁部３１の下面との間の全面にわたって延びる。第１隙間Ｓ１のボトル径方向の大きさは、第２隙間Ｓ２のボトル軸Ｏ方向の大きさと同等になっている。
【００３４】
下側陥没部２５Ａの内部には、下側のボトル１Ｂの肩部１２の一部が配置される。立ち上がり壁部２７および連結壁部２８はそれぞれ、段筒部３５および上肩部３６に倣って形成されていて、下側陥没部２５Ａの内部には、段筒部３５および上肩部３６が配置される。そして、接地部２４および下側陥没部２５Ａのうちの少なくとも一方は、下側のボトル１Ｂの肩部１２に肩部１２の上方から当接する。図示の例では、接地部２４が肩部１２（内周部３４Ｂ）上に載置され、立ち上がり壁部２７および連結壁部２８は、肩部１２から離間する。
【００３５】
立ち上がり壁部２７の内周面は、段筒部３５の外周面とボトル径方向に対向する。立ち上がり壁部２７の内周面と段筒部３５の外周面との間には、ボトル径方向の第３隙間Ｓ３が設けられる。連結壁部２８の下面は、上肩部３６の上面とボトル軸Ｏ方向に対向する。連結壁部２８の下面と上肩部３６の上面との間には、ボトル軸Ｏ方向の第４隙間Ｓ４が設けられる。第３隙間Ｓ３および第４隙間Ｓ４は、ボトル周方向の全周にわたって延びる。
【００３６】
なお、第３隙間Ｓ３および第４隙間Ｓ４がなくてもよく、立ち上がり壁部２７の内周面と段筒部３５の外周面とが当接したり、連結壁部２８の下面と上肩部３６の上面とが当接したりしてもよい。ここで、第３隙間Ｓ３について、この第３隙間Ｓ３が設けられる場合、ボトル１を積み重ね易くなる。一方、第３隙間Ｓ３が設けられない場合、積み重ねられたボトル１のがたつきを規制し易くなる。
【００３７】
以上説明したように、本実施形態に係るボトル１によれば、ストレート壁部３０が、下側のボトル１Ｂのキャップ３９とボトル径方向に対向する。したがって、積み重ねられた上下一対のボトル１Ａ、１Ｂに対してボトル径方向（横方向）に相対的に変位するような外力（横力）が加えられたときに、ストレート壁部３０とキャップ３９とがボトル径方向に突き当たる。ストレート壁部３０およびキャップ３９の外周面は、いずれもボトル軸Ｏ方向に沿って延びているので、ストレート壁部３０とキャップ３９とがボトル径方向に突き当たることで、一対のボトル１Ａ、１Ｂのボトル径方向への相対的な移動を効果的に規制することができる。したがって、積み重ねられたボトル１が崩れるのを抑制することが可能になり、ボトル１を安定して積み重ねることができる。
【００３８】
また接地部２４が、下側のボトル１Ｂの肩部１２に肩部１２の上方から当接するので、上側のボトル１Ａの姿勢を下側のボトル１Ｂ上で安定させ易くすることができる。
さらに、天壁部３１に天壁凹部３２が設けられている。したがって、例えば、このボトル１をプリフォームから成形することで天壁部３１にゲート痕が形成される場合などであっても、ゲート痕を天壁凹部３２内に配置することができる。また、例えば内容物が充填されたボトル１について、天壁部３１が下方に膨出することを抑制することができる。これにより、ゲート痕などが、上側陥没部２５Ｂに収容される下側のボトル１Ｂのキャップ３９に干渉するのを抑えることが可能になり、上側のボトル１Ａの姿勢を下側のボトル１Ｂ上でより安定させ易くすることができる。
しかも、上側陥没部２５Ｂがテーパ壁部２９を備えている。したがって、このボトル１の成形に際してボトル１から金型を離型させるときに、テーパ壁部２９を抜きテーパとして利用して陥没部２５を精度良く成形することができる。このように高精度に形成された陥没部２５を利用してボトル１を積み重ねるので、上側のボトル１Ａの姿勢を下側のボトル１Ｂ上で一層安定させ易くすることができる。
以上のように、このボトル１では、上側のボトル１Ａの姿勢を下側のボトル１Ｂ上で安定させ易くすることができる。したがって、ストレート壁部３０とキャップ３９とをボトル径方向に精度良く突き当てることが可能になり、ボトル１を確実に安定して積み重ねることができる。
【００３９】
また、テーパ壁部２９の前記傾斜角度が、立ち上がり壁部２７の前記傾斜角度よりも大きいので、上側のボトル１Ａの姿勢を下側のボトル１Ｂ上でより確実に安定させ易くすることができる。
【００４０】
なお、本発明の技術的範囲は前記実施形態に限定されるものではなく、本発明の趣旨を逸脱しない範囲において種々の変更を加えることが可能である。
【００４１】
上述した実施形態では、ボトル１を積み重ねたときに、接地部２４が、下側のボトル１Ｂの肩部１２に当接するが、本発明はこれに限られない。例えば、接地部２４および下側陥没部２５Ａ（連結壁部２８）の両方が肩部１２に当接してもよく、下側陥没部２５Ａ（連結壁部２８）が肩部１２に当接しつつ接地部２４が肩部１２から離間してもよい。
【００４２】
また、上述した実施形態では、肩部１２、胴部１３の上面視形状、及び底部１４の下面視形状（ボトル径方向に沿う横断面視形状）をそれぞれ多角形状としたが、本発明はこれに限られず、円形状にする等、適宜変更してもよい。
さらに、上述した実施形態では、ボトル１を二段に積み重ねる構成としたが、本発明はこれに限らず、三段以上の複数段積み重ねても構わない。
【００４３】
また、ボトル１を形成する合成樹脂材料は、例えばポリエチレンテレフタレートや、ポリエチレンナフタレート、非晶性ポリエステル等、またはこれらのブレンド材料等、適宜変更してもよい。
さらに、ボトル１は単層構造体に限らず中間層を有する積層構造体としてもよい。この中間層としては、例えばガスバリア性を有する樹脂材料からなる層、再生材からなる層、若しくは酸素吸収性を有する樹脂材料からなる層等が挙げられる。
【００４４】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４５】
１、１Ａ、１Ｂ ボトル
１１   口部
１２   肩部
１３   胴部
１４   底部
２４   接地部
２５   陥没部
２５Ａ 下側陥没部
２５Ｂ 上側陥没部
２７   立ち上がり壁部
２８   連結壁部
２９   テーパ壁部
３０   ストレート壁部
３１   天壁部
３２   天壁凹部
３９   キャップ
４０   頂壁部
Ｏ     ボトル軸
【図１】
2017137106.tif 000003
【図２】
2017137106.tif 000004
【図３】
2017137106.tif 000005
【図４】
2017137106.tif 000006
【図５】
2017137106.tif 000007
【図６】
2017137106.tif 000008
【図７】
2017137106.tif 000009